(57)【要約】      （修正有）【課題】自立独立した状態のたも網生け簀となると同時に、たも網が竿の安全を守り寿命を延ばす竿受けにも成るたも網一体型スタンド竿受け装置を提供する。【解決手段】たも網の円形枠に沿った円弧形状を有する竿受け一体型スタンド金具Ｂと、たも網取っ手柄Ｅの反対側において、スタンド金具をたも網に取り付ける取り付けアジャスターＡと、スタンド金具の半円形状の両端部を、たも網に取り付けるための収納部を有するスタンドストッパーＣからなり、スタンド金具は、取り付けアジャスターによって取り付けられる部分に、竿受け部分Ｄが形成され、取り付けアジャスターは、スタンド金具を取り付けるための中空状の取り付け部分を有している。たも網として使用する場合には、スタンド金具の両端部をスタンドストッパーに収納してスタンド金具をたも網に取り付け、竿受けスタンドとして使用する場合には、スタンド金具の両端部をスタンドストッパーから外して、たも網取っ手部分とスタンド金具の両端部を三脚として機能させる。【選択図】図１
0003201370.tif 000002
【実用新案登録請求の範囲】
【請求項１】
鮎釣りファンにとっては、他の釣りと違い鮎の性質を利用した「友釣り（友とは囮に使う鮎のことを指し、友鮎といいます。）」で釣りをおこなうため使用する竿は、野鮎（川の中にいる先入の鮎）の居着いている縄張りに囮の鮎を竿で誘導操作するため必然的に長いものとなります。
この長い竿で、友鮎の付け替えや掛けた鮎の取り外しはもちろんのこと、縄張り意識の強い鮎の性質を逆手に取った友釣りですから、囮として使う友鮎を、川の流れや地形状況を把握しながら野鮎が居そうな場所まで釣り師が竿を操り誘導する。野鮎は縄張りに侵入してきた囮の鮎を追い払おうと攻撃するときの動きを友鮎につけた掛け針で釣るのですが、その釣り特性のため鮎の友釣り用竿は８本程度の分割継ぎで構成された振り出し継ぎ手竿で釣り時に伸ばすと８ｍ〜１０ｍの長い竿となっていて、操作取り回しに苦労するとともに終日竿を操作するため軽量であることが絶対要件となります。
竿に着ける釣り糸も当然竿と同様の長さとなりますが、この糸部分も鮎の友釣りでは基本的には水に浸からない部分（釣りの用語では天上糸といいます。）と水中に浸かる部分（仕掛け（釣りの用語では水中糸といいます。））に分かれ、糸に求められる特性もそれぞれ違ってきます。
天上糸部分は丈夫な素材で視認性が良いことと穂先に絡みづらい太めで固めの糸を使用しますが、一方、水中糸部分は獲物を釣る目的から魚に警戒されないように細く見えにくいことと同時に鮎のファイトに耐える強度の高いハイテク糸となります。
天上糸と水中糸の長さの割合は５対５が一般的で、水中糸部分は絶えず川の地形状況など障害物との関わりと友鮎と掛ける野鮎とのファイトなどで撚れたり擦れたりするため、この仕掛けをよく点検し必要に応じて小まめに交換しなければ釣果も望めなくなります。
前置き説明が長くなりましたが、８ｍ〜１０ｍ前後もある長竿を操り、釣り人自身も川の状況に合わせて腰まで川の中に入って釣りをすることも多い友釣りで、誘いの操作や取り込み、仕掛けの交換などの度に竿を畳んだりできません。
竿を肩に担いだままこれらの作業をすることとなりますが、状況に合わせて岸や川原の石の上や砂利の上に置いて作業せざるを得ない場面が結構あります。
そんな時に、購入価格１０万円以上は当たり前。時には５０万円もする高価な鮎竿を一瞬の不注意で傷つけ壊してしまうなどの予期せぬトラブルに見舞われてしまうことがあります。
この様なトラブルを防ぐために、竿を直に砂利場や岸辺に置かざるを得ない場合でも竿先を安全に護れるように宙に浮かせた状態で置くことができないかなどを考えておりました。
今回の発明品は、鮎の友釣りなどで釣った魚を取り込む「たも網（鮎釣りでは鮎タモ・鮎ダモと呼称されています。）」に装着することを目的としたアジャスター部分と竿受け部分及びスタンド部分一体型構造からなる「たも網スタンド型竿受け装置」です。
たも網スタンド型竿受け装置は、友鮎の取り換えや水中糸仕掛けの交換作業などをスムーズにすることはもちろん、一瞬の不注意などで高価な鮎竿の破損を防ぐことができることを特徴とする発明品です。
【請求項２】
今回の発案は、請求項１で指摘した鮎の友釣り上での幾つかの問題点を解決するための、たも網スタンド型竿受け装置である。
この考案した装置は、釣り具メーカー各社から広く市販されている円形枠３６０ｍｍ鮎タモや３９０ｍｍ鮎タモ等たも網製品の取っ手柄反対側部分に、▲１▼たも網円形枠に固定するために取り付ける役割部分と、竿受け部分のＵ形部並びにスタンド一体型金具の支持点部分の二カ所を固定する役割を担う取り付けアジャスター。▲２▼竿受け部分一体型スタンド金具。▲３▼たも網円形枠に竿受け部分一体型スタンド金具のスタンド両端を収納固定するための固定ガイド二点。
以上、四つの構成部品からなる。
そして、この考案した装置の取り付けアジャスターは、たも網円形枠に固定するために取り付ける役割部分と、竿受け部分とスタンド一体型金具を支持固定する役割部分からなり、たも網円形枠と竿受け部分とスタンド一体型金具は二分割で構成される取り付けアジャスターはネジによって締め固定される。
魚の取り込み用たも網として使用するときは、この竿受け部分とスタンド部分一体型金具はスタンド部分端（左右二点）の左右それぞれに装着された固定ガイドストッパー内に収納される。
竿受けスタンドとして使用するときは、固定ガイドストッパーで収納されているスタンド部分両端を左右それぞれの固定ガイドストッパーから外して使用する。
その際、竿受け部分とスタンド部分一体型金具の竿受け部分となるＵの曲がり部分が取り付けアジャスターの図３のキの勾配面に密着当たることによって固定され、竿受け部分とスタンド一体型金具はたも網の取っ手の柄と一体連動した三脚となり安定した竿受けの役割を果たす。
【請求項３】
このたも網スタンド型竿受け装置を使用することで、魚の取り込み用たも網としてはもちろんのこと、友鮎の付け替えや仕掛けの交換時などで竿受け用三脚として使用するときも、鮎竿を手から離すことなくもう一方の竿を持たない片方の手だけでスタンド金具部分を固定ストッパーから取り外すことができます。
友釣りの場合、釣り場で野鮎を掛けたら囮として使った友鮎と付け替え交換したえず活きの良い鮎を友鮎として使う釣り方法で、釣った鮎や取り替えた鮎を引き舟（川の流れの中で囮や野鮎を生きたまま保管し釣り場を移動できる道具）に入れて思い思いのポイントを移動して釣り場を移動していきますが、釣り場の状況で引き舟から離れてポイントを探っていくことも多く、釣れてから竿を砂利場や岸辺に寝かせ置いたまま、たも網に取った鮎をたも網の中に入れ水の中に浸けたまま（水から上げてしまうとすぐに鮎が弱ってしまうため）引き舟を留めている場所まで移動することも多いです。
従来、この釣り上げた場所と引き舟係留との間をたも網を持って移動する作業が大変であるとともに、鮎竿の特性から長尺で軽量が求められることで竿素材のカーボンロッドを薄くして軽量にするとともにしなやかに作られています。そのためキズにはもの凄く弱いという欠点があり、川原の石の上や砂利の上に置くことは御法度で、もし置いた場合は、風などで竿が転がったことが原因で傷がついたり竿の振り出し継ぎ目部分に砂が咬んだりして竿が破損する原因となります。また、自他関わりなくまったくの不注意で蹴ったり踏んでしまうなどで同様に傷つけたり破損させてしまう原因となっていました。
この考案した装置をたも網に取り付け一体使用することで、たも網自身を人の手から離れ独立して川の中に立たせた状態を保持することができる（友鮎も野鮎もたも網の中で空気に触れることなく水に浸った状態を保つことができる。また、川の流れや魚の動きでたも網が不安定になる様なことを防ぐためにはその場の適当な川の石をたも網の中に入れておけば安定する。）と同時に、作業の度に鮎竿を一々畳み込まなくてもよく、竿を伸ばしたまま穂先や継ぎ手を心配することなく三脚状態の竿受けに竿を立てかけたまま仕掛けの交換などがスムーズにおこなえることとなる。
つまり、このたも網スタンド型竿受け装置は、釣り人が釣り場での釣りに集中できる時間（効率）を飛躍的に生み出すこととなると同時に、釣り人の釣り足場など川の中の移動などで不測の危険を軽減することにも寄与することとなります。
そして１０万円以上もする繊細な鮎竿のキズなどによる破損買い換えなどの頻度を減らすことに寄与でき、釣り人の財布にも優しく、カーボンロッド製やグラスロッド製の釣り竿は燃えないゴミとして扱われますからゴミ排出を軽減できることで自然環境にも優しいものとなります。
【考案の詳細な説明】
【技術分野】
【０００１】この実用新案は、鮎の友釣りなどの釣りを行う際、片方の手で竿を操りながらもう片方の手で釣った（掛けた）魚をたも網に受け、友鮎を活きの良い野鮎と付け替え交換したり、仕掛けを付け替えたり、引き舟に魚を入れるなどの操作作業を行う際に、これらの一連の行動を効率よくスムーズにおこなえる要となる、たも網を三脚自立させるための金具装置の形状に関するものである。
【背景技術】
【０００２】  従来、鮎の友釣りでは友鮎を野鮎の縄張りに誘導する操作をおこなう必要から竿が長尺になること、川の流れの中に釣り人自身が入って釣ること、釣った（掛けた）野鮎と友鮎を川の流れの中から素早く引き抜き、たも網にキャッチすること、釣った（掛けた）野鮎を絶えず活きの良い友鮎として付け替え交換すること、釣った（掛けた）鮎は生かしたまま弱らさない様に引き舟に保管することなどが一連の動作として必要となるが、その一連の作業が釣り場の状況や移動して釣り歩くことから分断した作業となり、好き・趣味の類いとはいえ大変苦労の多い釣りです。【０００３】  特に、釣った魚の取り込みや仕掛けの交換時に竿を毎回毎回畳んで作業するなどはできません（畳む場合は竿尻側から順番に仕舞わないと薄いカーボンロッドの繊維を傷めてしまい繊維の縦割れを起こす原因になる。）から、ついつい伸ばしたままで川原に置き竿をして作業をする様になります。そのときに、竿の継ぎ目に砂が入いり咬んでしまったり竿を傷つけてしまったりして破損させ使い物にならなくしてしまうことがあります。
そのため、釣りの中でも高くつくといわれている鮎釣りですが、使い物にならなくなった竿などの買い換え費用が高く家計や財布への負担が大きかった。
【考案の概要】
【考案が解決しようとする課題】
【０００４】  この実用新案は、釣り具メーカー各社から広く市販されているたも網にスタンド型竿受け金具装置を取り付けることで、人の手を介さず自立独立した状態のたも網生け簀となると同時に、この三脚型たも網が竿の安全を守り竿の寿命を延ばす竿受けにも成ることを目的とした金具装置を提供することを課題とします。
【課題を解決するための手段】
【０００５】  以上の課題を解決するために、今回考察した装置は、釣り具メーカー各社から広く市販されている円形枠３６０ｍｍの鮎タモや３９０ｍｍの鮎タモ等たも網製品の取っ手柄反対側部分に、▲１▼たも網円形枠に固定するために取り付ける役割部分（図３のエのカ。図３のオのカ）と、竿受け部分のＵ形部（図１のＤ）並びにスタンド一体型金具の支持点部分（図３のエのキ）の二カ所を固定する役割を担う取り付けアジャスター（図１のＡ。図２のＡ。図３のア）。▲２▼竿受け部分一体型スタンド金具（図１のＢ。図２のＢ。図４のコ）。▲３▼たも網円形枠に竿受け部分一体型スタンド金具のスタンド両端を収納固定するためのスタンドストッパー二点（図１のＣ。図２のＣ。図５のシおよびス）。以上、三つの構成部品からなります。【０００６】そして、この考案した装置の取り付けアジャスター（図１のＡ。図２のＡ。図３のア）は、たも網円形枠に固定するために取り付ける役割部分（図３のエのカおよびオ断面図のカ）と、竿受け部分とスタンド一体型金具（図１のＢ。図２のＢ。図４のコ）を支持固定する役割部分（図３のエのキ）からなり、たも網円形枠と、竿受け部分とスタンド一体型金具を繋ぐ構造部分は二分割（図３のエのカ。図３のオ断面図のカの円形枠取り付け部と、図３のエのキの竿受け部分一体型スタンド金具取り付け部）から構成されていて、その取り付けアジャスターはネジ（図３のエのケ）によって止められ一体固定される。【０００７】  魚の取り込み用たも網として使用するときは、この竿受け部分とスタンド部分一体型金具（図１のＢ。図２のＢ。図４のコ）はスタンド部分端（左右二点）の左右それぞれに装着されたガイドストッパー（図１のＣ。図２のＣ。図５のシとス）の（図５のスのソ）内に収納される。【０００８】  竿受けスタンドとして使用するときは、スタンドストッパー（図１のＣ。図２のＣ。図５のスのソ）で収納されているスタンド部分両端を左右それぞれのスタンドストッパーから外して（図２の様な状態で）使用する。
その際、竿受け部分とスタンド部分一体型金具の竿受け部分となるＵの曲がり部分（図１のＤ。図２のＤ。図４のコおよびサのＤ）が取り付けアジャスター（図３のオ断面図の勾配面クと密着当たる）ことによって竿受け部分一体型スタンドが固定されることとなり、竿受け部分とスタンド一体型金具はたも網の取っ手の柄部分（図１のＥおよび図２のＥ）と一体連動した三脚となることで安定した竿受けの役割（図６写真および図７写真の様に）を果たす。
【考案の効果】
【０００９】  この実用新案に拠って、魚の取り込み用たも網としての本来の役割を損なうことなく、キャッチ取り込んだ野鮎や友鮎の付け替えはもちろん、仕掛けの交換作業時においても川の水の流れの中で釣り人の手から離れ独立自立した簡易のたも網生け簀となっているので魚を弱らせなくて済む。【００１０】  同時に、たも網が自立した三脚型になっているため竿受け部のＵ部分（図１のＤ、図２のＤ、図４のＤ）に竿を安心して立てかけ置くことができることとなり、竿を傷つけるリスクも大幅に軽減されるとともに釣り人の両手が自由になったことで仕掛けの交換作業などスムーズにできるようになります。【００１１】  また、引き舟が手元になく離れた場所に留めていたとしても慌てることなく、たも網を持って走る必要もなくなり引き舟を自身の釣り場まで安心して移動させることができます。【００１２】  つまり、このたも網スタンド型竿受け装置は、釣り人が釣り場での釣りに集中できる時間（効率）を飛躍的に生み出すこととなると同時に、釣り人の釣り足場など川の中の移動などで起こる不測の危険を軽減し安全に釣りを楽しむことにも寄与することとなります。【００１３】  そして１０万円以上もする繊細な鮎竿のキズなどによる破損買い換えなどの頻度を減らすことに寄与でき、釣り人の財布にも優しく、カーボンロッド製やグラスロッド製の釣り竿は燃えないゴミとして扱われていますから不燃ゴミ排出を軽減できることで自然環境にも優しいものとなります。
【考案を実施するための最良の形態】
【００１４】  この実用新案の一実施形態を、図１（たも網に取り付けた状態の装置収納時の外観平面図）、図２（たも網に取り付けた装置を固定ストッパーから引き出し三脚にした状態の横立面図）、図３（たも網枠に取り付けるためのアジャスター装置の明細図の平面図（ア）、展開図（イ、ウ、エ）、断面図（オ））、図４（竿受け部分一体型スタンド金具の平面図（コ）と展開図（サ））、図５（左右一対のスタンドストッパーの平面図（シ）と展開図（ス））に示す。【００１５】  たも網スタンド型竿受け装置は、図１の平面図のとおり、▲１▼たも網円形枠取り付けアジャスター（図１のＡ。図２のＡ。図３明細図）、▲２▼竿受け部分（図１のＤ、図２のＤ、図４明細図のＤ）一体型スタンド金具（図１のＢ。図２のＢ。図４明細図のコ）、▲３▼竿受け部分一体型スタンド金具をたも網円形枠に収納するためのスタンドストッパー（図１のＣ。図２のＣ。図５明細図）、以上三つの構成と五つの部品で構成される。【００１６】  たも網円形枠に取り付けるアジャスター（図１のＡ。図２のＡ。図３明細図）および竿受け部分一体型スタンド金具（図１のＢ。図２のＢ。図４明細図）の材質はアルミ合金やチタンなど既存の市販されているたも網円形枠などと同質の金属材料で作る。二分割されているアジャスターを止めるためのネジ（図３明細図のエのケ）も同等の金属製とする。
スタンドストッパー（図１のＣ。図２のＣ。図５明細図）の材質は硬度や耐候性と耐久性に優れたクロロプレンゴム（ＣＲゴム）や耐候性二トリムゴム（ＮＢＲ）などの合成ゴム材質で作る。【００１７】「実施形態の効果」
この実施形態によれば、釣った魚を受けるたも網としての役割目的にとどまらず、自立した三脚型の簡易生け簀となると同時に、竿を置き掛ける安全な竿受けになる。
この発明品によって▲１▼釣りの効率化が計られる。▲２▼釣り人の怪我防止など安全性の向上につながる。▲３▼高価な釣り竿を不測の危険から回避できることによる節約効果。▲４▼グラスロッドやカーボンロッドの釣り竿は燃えないゴミと扱われているが、キズや破損で起きずに長持ちできれば環境にも優しい結果となる。
大まかに以上四点の効果が期待される。
【図面の簡単な説明】
【００１８】
【図１】この実用新案の実施形態を示すたも網円形枠に取り付けた「たも網スタンド型竿受け装置」の全体平面図
【図２】この実用新案の実施形態を示すたも網円形枠に取り付けた「たも網スタンド型竿受け装置」の全体立面図
【図３】この装置を取り付けるアジャスターの明細図および三面方向からの展開図と断面図
【図４】竿受け部分一体型スタンド金具の平面図と方向展開図
【図５】スタンドストッパーの平面図と方向展開図
【図６】たも網に取り付けた装置外観の写真（参考）
【図７】たも網に取り付けた装置の竿受け部に竿を立てかけた写真（参考）
【図１】
0003201370.tif 000003
【図２】
0003201370.tif 000004
【図３】
0003201370.tif 000005
【図４】
0003201370.tif 000006
【図５】
0003201370.tif 000007
【図６】
0003201370.tif 000008
【図７】
0003201370.tif 000009
【手続補正書】
【提出日】平成27年3月12日(2015.3.12)
【手続補正１】
【補正対象書類名】実用新案登録請求の範囲
【補正対象項目名】全文
【補正方法】変更
【補正の内容】
【実用新案登録請求の範囲】
【請求項１】
鮎釣りは、鮎のテリトリー意識の強さを逆手にして釣果をあげる釣りを行うので針に友鮎を掛けて野鮎のいるポイントに友鮎を誘導することによって野鮎がポイントに侵入させまいと攻撃してくる遣り取りのなかで野鮎を釣り上げるため、友釣り用の竿は８ｍ〜１０ｍ前後の長竿となっており、その長竿を巧みに操る必要があり、釣り人自身も川の状況に合わせて腰まで川の中に入って釣りをすることが多いが、誘いの操作や取り込み、仕掛けの交換などの都度に竿を畳んだりできません。竿を肩に担いだままこれらの作業をすることとなりますが、状況に合わせて岸や川原の石の上や砂利の上に置いて作業せざるを得ないときに、１０万円以上は当たり前で高価な竿になると５０万円もする様な鮎竿を一瞬の不注意で傷つけ壊してしまう事を防ぐために、竿を砂利場や岸辺に直接置くことなく竿先や竿の継ぎ目を護れるように宙に浮かせた状態で置くことができないかなどを考えた今回の実用新案品は、鮎の友釣りなどで釣った魚を取り込む「たも網に装着することを目的としたアジャスター部分と竿受け部分及びスタンド部分が一体構造からなることを特徴とするたも網一体スタンド型竿受け装置。」
【請求項２】
今回の発案は、釣り具メーカー各社から広く市販されている円形枠３６０ｍｍや３９０ｍｍの鮎タモ網製品の取っ手柄の反対側部分に位置する▲１▼たも網の円形枠に固定するために取り付ける部分と、竿受け部分のＵ形部並びにスタンド一体型金具の支持点部分の二カ所を固定する取り付けアジャスター、▲２▼竿受け部分一体型スタンド金具、▲３▼たも網円形枠に竿受け部分一体型スタンド金具のスタンド両端を収納固定するための固定ガイド二点の以上四つの部品からなることを特徴とする請求項１に記載のたも網一体スタンド型竿受け装置。
【請求項３】
魚の取り込み用たも網としての機能を損なうことなく、友鮎の付け替えや仕掛けの交換を行うとき竿受け用三脚の役割が求められるとき、鮎竿を手から離すことなくもう一方の竿を持たない片方の手だけでスタンド金具部分を固定ストッパーから取り外すことを特徴とする請求項１に記載のたも網一体スタンド型竿受け装置。
【手続補正２】
【補正対象書類名】明細書
【補正対象項目名】全文
【補正方法】変更
【補正の内容】
【考案の詳細な説明】
【技術分野】
【０００１】この実用新案は、鮎の友釣りなどの釣りを行う際、片方の手で竿を操りながらもう片方の手で釣った野鮎と友鮎をたも網に受け、友鮎を活きの良い野鮎と付け替え交換したり、仕掛けを取り替えたり、引き舟に魚を入れるなどの操作作業を行う際に、これらの一連の行動を効率よくスムーズにおこなう要となる、たも網を三脚自立させるための金具装置の形状に関するものである。
【背景技術】
【０００２】  鮎の友釣りは、鮎の縄張り意識の強さを利用する釣り方法で、友鮎を野鮎の縄張りに誘導することで敵対的に攻撃してくる野鮎を掛け針で釣る操作をおこなうものですから竿は一般的な釣りものに比べて必然的に長尺になること、川幅や形状に合わせて川の流れの中に釣り人自身が入って釣ること、野鮎が友針に掛かったら野鮎友鮎一対を川の流れの中から素早く引き抜きたも網にキャッチすること、釣果を上げるためには友釣り用の友鮎を活きの良い野鮎と絶えず交換付け替えること、掛けた野鮎は囮鮎ともども生かしたまま弱らさない様に引き舟に保管することなどが一連の釣行動作として必要となるが、その一連の釣行動作が釣り場の状況に応じて移動して釣り歩くことから釣行作業の組み合わせが変化する動作作業となり、好き・趣味の類いとはいえ大変労多い釣りです。【０００３】特に、掛け針に掛けた魚の取り込みや仕掛けの交換を行う際に毎回竿を畳んで作業するなどは非効率すぎることと、竿を畳む場合は竿尻側から順番に仕舞わないと肉厚の薄いカーボンロッドの繊維を傷めてしまい繊維の縦割れを起こす原因になるから、ついつい竿を伸ばしたままで川原や川縁に置き竿をして作業をする様になり、その際、竿の継ぎ目に砂が入いり咬んでしまったり竿を傷つけてしまったりして破損使い物にならなくしてしまうことがあります。【０００４】友釣り用の鮎竿は８ｍから１０ｍの長尺竿となるため釣り人の操作性なども考慮し全体重量を軽量にするため他の竿と比べても竿経肉厚が薄く作られ強度と軽量化を両立させる技術から竿価格も高くなってしまう鮎竿ですが、それ故に、継ぎ手部分やうっかり踏んづけるなど一部分への過度の力が加わることに弱い脆さがあり破損使い物にならなくなった竿などの買い換え費用が高く家計や財布への負担が大きかった。
【実用新案の概要】
【実用新案が解決しようとする課題】
【０００５】この実用新案は、釣り具メーカー各社から広く市販されているたも網に一体型としてスタンド型竿受け金具装置を取り付けることで、人の手を介さず自立独立した状態のたも網生け簀となると同時に、この自立三脚型たも網が竿の安全を守り竿の寿命を延ばす竿受けにも成ることを目的とした金具装置を提供することを課題とします。
【課題を解決するための手段】
【０００６】以上の課題を解決するために、今回考察した金具装置は、釣り具メーカー各社から広く市販されている円形枠３６０ｍｍの鮎タモや３９０ｍｍの鮎タモ等たも網製品の取っ手柄反対側部分に、▲１▼たも網円形枠に固定するために取り付ける役割部分（図３のエのカ。図３のオのカ）と、竿受け部分のＵ形部（図１のＤ）並びにスタンド一体型金具の支持点部分（図３のエのキ）の二カ所を固定する役割を担う取り付けアジャスター（図１のＡ。図２のＡ。図３のア）。▲２▼竿受け部分一体型スタンド金具（図１のＢ。図２のＢ。図４のコ）。▲３▼たも網円形枠に竿受け部分一体型スタンド金具のスタンド両端を収納固定するためのスタンドストッパー二点（図１のＣ。図２のＣ。図５のシおよびス）。以上、三つの構成部品からなります。
【０００７】そして、この考案した装置の取り付けアジャスター（図１のＡ。図２のＡ。図３のア）は、たも網円形枠に固定するために取り付ける役割部分（図３のエのカおよびオ断面図のカ）と、竿受け部分とスタンド一体型金具（図１のＢ。図２のＢ。図４のコ）を支持固定する役割部分（図３のエのキ）からなり、たも網円形枠と、竿受け部分とスタンド一体型金具を繋ぐ構造部分は二分割（図３のエのカ。図３のオ断面図のカの円形枠取り付け部と、図３のエのキの竿受け部分一体型スタンド金具取り付け部）から構成されていて、その取り付けアジャスターはネジ（図３のエのケ）によって止められ一体固定される。
【０００８】魚の取り込み用たも網として使用するときは、この竿受け部分とスタンド部分一体型金具（図１のＢ。図２のＢ。図４のコ）はスタンド部分端（左右二点）の左右それぞれに装着されたガイドストッパー（図１のＣ。図２のＣ。図５のシとス）の（図５のスのソ）内に収納される。
【０００９】竿受けスタンドとして使用するときは、スタンドストッパー（図１のＣ。図２のＣ。図５のスのソ）で収納されているスタンド部分両端を左右それぞれのスタンドストッパーから外して（図２の様な状態で）使用する。
その際、竿受け部分とスタンド部分一体型金具の竿受け部分となるＵの曲がり部分（図１のＤ。図２のＤ。図４のコおよびサのＤ）が取り付けアジャスター（図３のオ断面図の勾配面クと密着当たる）ことによって竿受け部分一体型スタンドが固定されることとなり、竿受け部分とスタンド一体型金具はたも網の取っ手の柄部分（図１のＥおよび図２のＥ）と一体連動した三脚となることで安定した竿受けの役割（図６写真および図７写真の様に）を果たす。
【実用新案の効果】
【００１０】この実用新案に拠って、魚の取り込み用たも網としての本来の役割を損なうことなく、キャッチ取り込んだ野鮎や友鮎の取り替えはもちろん、仕掛けの付け替え交換作業時においても川の水の流れの中で釣り人の手から離れ独立自立した簡易のたも網生け簀となっているので魚を弱らせなくて済む。
【００１１】同時に、たも網が自立した三脚型になっているため竿受け部のＵ部分（図１のＤ、図２のＤ、図４のＤ）に竿を安心して立てかけ置くことができることとなり、竿を傷つけるリスクも大幅に軽減されるとともに釣り人の両手が自由になったことで仕掛けの交換作業などスムーズにできるようになります。
【００１２】また、引き舟が手元になく離れた場所に留めていたとしても慌てることなく、たも網を持って走る必要もなくなり引き舟を現時点の釣り場まで安心して移動させることができます。
【００１３】つまり、このたも網一体スタンド型竿受け装置は、釣り人が釣り場での釣りに集中できる時間（効率）を飛躍的に生み出すこととなると同時に、釣り人の釣り足場など川の中の移動などで起こる不測の危険を軽減し安全に釣りを楽しむことにも寄与することとなります。
【００１４】そして１０万円以上もする繊細な鮎竿のキズなどによる破損買い換えなどの頻度を減らすことに寄与でき、釣り人の財布にも優しく、同時に、カーボンロッド製やグラスロッド製の釣り竿は燃えないゴミとして扱われていますから不燃ゴミ排出を軽減できることで自然環境にも優しいものとなります。
【実用新案を実施するための最良の形態】
【００１５】この実用新案の一実施形態を、図１（たも網に取り付けた状態の装置収納時の外観平面図）、図２（たも網に取り付けた装置を固定ストッパーから引き出し三脚にした状態の横立面図）、図３（たも網枠に取り付けるためのアジャスター装置の明細図の平面図（ア）、展開図（イ、ウ、エ）、断面図（オ））、図４（竿受け部分一体型スタンド金具の平面図（コ）と展開図（サ））、図５（左右一対のスタンドストッパーの平面図（シ）と展開図（ス））に示す。
【００１６】たも網スタンド型竿受け装置は、図１の平面図のとおり、▲１▼たも網円形枠取り付けアジャスター（図１のＡ。図２のＡ。図３明細図）、▲２▼竿受け部分（図１のＤ、図２のＤ、図４明細図のＤ）一体型スタンド金具（図１のＢ。図２のＢ。図４明細図のコ）、▲３▼竿受け部分一体型スタンド金具をたも網円形枠に収納するためのスタンドストッパー（図１のＣ。図２のＣ。図５明細図）、以上三つの構成と五つの部品で構成される。
【００１７】たも網円形枠に取り付けるアジャスター（図１のＡ。図２のＡ。図３明細図）および竿受け部分一体型スタンド金具（図１のＢ。図２のＢ。図４明細図）の材質はアルミ合金やチタンなど既存の市販されているたも網円形枠などと同質の金属材料で作る。二分割されているアジャスターを止めるためのネジ（図３明細図のエのケ）も同等の金属製とする。
スタンドストッパー（図１のＣ。図２のＣ。図５明細図）の材質は硬度や耐候性と耐久性に優れたクロロプレンゴム（ＣＲゴム）や耐候性二トリムゴム（ＮＢＲ）などの合成ゴム材質で作る。
【００１８】「実施形態の効果」
この実施形態によれば、釣った魚を受けるたも網としての役割目的にとどまらず、自立した三脚型の簡易生け簀となると同時に、竿を置き掛ける安全な竿受けになる。
この実用新案登録品によって▲１▼釣りの効率化が計られる。▲２▼釣り人の怪我防止など安全性の向上につながる。▲３▼高価な釣り竿を不測の危険から回避できることによる節約効果。▲４▼グラスロッドやカーボンロッドの釣り竿は燃えないゴミと扱われているが、キズや破損で起きずに長持ちできれば環境にも優しい結果となる。大まかに以上四点の効果が期待出来る。
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
今回の実用新案品は、鮎の友釣りなど河川で釣りをおこなう際に、釣った魚を取り込むたも網に装着することを目的とした、たも網枠に竿受け部及びスタンド部一体金具部品を接合させるためのアジャスター部品とスタンド部一体金具を固定収納するストッパー部品の三つの部品が一体のものとして組み合わされた形状を特徴とするたも網一体型スタンド竿受け装置。
たも網スタンド型竿受け装置全体図（全体平面図（収納時）及び全体立面図（使用時））参照
【請求項２】
今回の発案は、たも網枠として普及している３６０ミリ枠や３９０ミリ枠のたも網の取っ手柄部分の真反対側に、実用新案品の▲１▼たも網枠を固定する部分と竿受け部及びスタンド部一体金具部分の一体型金具部品を固定する部分から成るアジャスター部品（アジャスター（Ａ部品）図１。アジャスター（Ａ部品）図２）、▲２▼竿受け部及びスタンド部一体スタンド金具（竿受け部分一体型スタンド金具（Ｂ部品）図）、▲３▼たも網枠に竿受け部及びスタンド部一体型スタンド金具の両端を固定収納するための固定ガイド（スタンドストッパー（Ｃ部品）図）二点、の以上４つの部品構成からなるたも網一体型スタンド竿受け装置。なお、▲１▼と▲２▼部品の材質はアルミ合金やチタンなど既存のたも網枠などと同質の金属材料としアジャスター部品を止めるためのネジも同等の金属製とする。▲３▼部品の材質は硬度や耐久性に優れたクロロプレンゴム（ＣＲゴム）や耐候性に優れたニトリムゴム（ＮＢＲゴム）などの合成ゴム材質とします。
【請求項３】
魚の取り込み用たも網の機能を損なうことなく、取り込んだ鮎や友鮎の付け替え交換や仕掛けの交換作業においても鮎竿を手から離すことなく、もう一方の竿を持たない自由な手で竿受け部及びスタンド部一体金具部品を固定収納しているストッパー部品から外し竿受け部及びスタンド部一体金具を引き起こしアジャスター部品の背を支点として竿受け部のＵ字あごが沿うことで自立型竿受け三脚スタンドとなると同時に、この三脚機能で自立したたも網部分は水中にあるので釣った魚や囮の友鮎を弱らせる心配が無い自立型生け簀機能を兼ね備えることとなるたも網一体型スタンド竿受け装置。
たも網スタンド型竿受け装置（全体立面図（使用時））参照
【手続補正２】
【補正対象書類名】明細書
【補正対象項目名】全文
【補正方法】変更
【補正の内容】
【考案の詳細な説明】
【技術分野】
【０００１】  この実用新案は、鮎の友釣りなどの河川での釣り行動の際、片方の手で釣り竿を操りながらもう片方の空いた手でたも網を持って掛け釣りした野鮎と囮の友鮎をたも網に受ける動作だったり、囮の友鮎を釣れたての活きの良い野鮎と交換付け替えたり、釣り糸や仕掛けを交換したりする動作、そして囮用の鮎や釣った野鮎を生かしたまま保管するための引き舟（川の水の流れの中で釣った魚などを生かしておく生け簀）に入れるなどの一連の釣り動作の行動を効率よくスムーズにおこなえる要の役割を担うるものとして、たも網に本実用新案装置を取り付けることでたも網を人の手から離したまま三脚自立させることが可能となるたも網一体型スタンド竿受けとして機能する金具装置の形状に関するものである。
【背景技術】
【０００２】  鮎の縄張り意識の強さを利用して釣る手法が友釣りですから友鮎（囮鮎）を竿の糸先に付ける鼻カン仕掛けに付けて野鮎の棲む縄張りに誘導することで、縄張り内に侵入してきた友鮎を縄張りの外に追いやろうと敵対的に攻撃してくる鮎の性質を利用して野鮎を友鮎に付けた掛け針で掛け釣りするため、釣り人が友鮎を誘導する竿の取り回しやすい優れたものとする必要から友釣り用の鮎竿は他の釣り竿に比べて必然的に長尺竿（８ｍ〜１０ｍ）となります。【０００３】しかし、掛け針に掛けた魚の取り込みや傷んだ仕掛けの交換を行う度に竿を毎回畳んで作業するなどは非効率すぎることと、竿を畳む場合は竿尻側から順番に仕舞わなければ竿の肉厚の薄いカーボンロッド竿のカーボン繊維を傷めてしまい繊維の縦割れを起こす原因になるので、ついつい竿を伸ばしたままで川原や川縁に置いたまま取り替え作業をしてしまいます。そんな時に竿の継ぎ目に砂が入り咬んでしまったり傷を付けてしまい破損させ使い物にならなくしてしまうことがあり、また、不注意から自身や他の釣り人に踏んづけられ破損してしまうこともあります。【０００４】友釣りでは囮鮎に付けている掛け針（友針）に野鮎が掛かったら、掛かった野鮎と友鮎を一体のものとして川の中から素早く引き抜き上げ、たも網でキャッチしますが、釣り人は川幅や川の形状に合わせて竿を上手に取り回しながら友鮎を誘導したり自身も川の中に入って釣りを行うこととなりますが、釣果を上げたい場合には囮の友鮎を釣り上げたらこまめに活きの良い野鮎と絶えず交換する様にする必要があり、掛けた野鮎は囮鮎ともども生かしたまま引き舟に保管するなどの行動をとりますが移動しながら釣り歩くためにたも網を持ったまま引き舟まで走ったり、たも網の中に魚を入れたまま川の流れに流されないように水たまりに一時保管して引き舟を取りに行ったりします。【０００５】これら一連の行動を釣り場の状況に応じて魚の棲み着いてる場所を探りながら釣り人が移動して釣り歩くタフな釣行ですので、何とかこれら一連の動きを効率的にコンパクトに出来ないものかと考えました。
【実用新案の概要】
【実用新案が解決しようとする課題】
【０００６】  この実用新案のたも網一体スタンド型竿受け装置は、魚を取り込むたも網の本来用途を損なうことなく人の手を介さず自立独立した状態で竿立てとしての役割を担うこととなり竿の安全を守り竿の寿命を延ばす自立型三脚となるとともに、たも網自体が川の中で自立した生け簀の役割も果たせることを目指し、以上の課題を解決できるものとして本装置を考案しました。
【課題を解決するための手段】
【０００７】  以上の課題を解決するために今回考察した金具装置は次の三つの部品部分で構成します。一般に市販されているたも網枠幅３９０ミリのたも網取っ手柄部分の真反対側の枠部分に、▲１▼本装置の網枠接続アジャスター部品（Ａ部品）を取り付け、▲２▼そのアジャスター部品に竿受け部及びスタンド部一体金具部品（Ｂ部品）を組み込み取り付け、▲３▼このＢ部品スタンド部一体金具の両端付近を収納する固定ストッパー（Ｃ部品）を用いてたも網枠に固定する。
たも網スタンド型竿受け装置（全体図）参照
【０００８】この考案した装置の取り付けアジャスター部品（図２、図３）は、たも網円形枠に取り付ける部分と竿受け部及びスタンド部一体スタンド金具部品を固定するために、アジャスター（Ａ部品、図１の平面図、側面立面図、正面立面図及び端部正面立面図）のように二つの構成部分（三つのパーツ）で成り立っている装置でありそれぞれは上下２本のネジで一対毎に接続固定（計４本のネジ）され、その二つの構成部分は、アジャスター（Ａ部品）図２の断面図ｂ−ｂ’で詳しいように底部から頂部に台形型になっていることで竿受け部及びスタンド部一体スタンド金具部品をたも網枠から引き起こしたときに竿受け部のＵ字あご部分を支持出来る形状となりスタンド金具が安定した三脚の役割を果たせるようになる。
【０００９】たも網本来の魚の取り込み用として使用するときは、この竿受け部及びスタンド部一体スタンド金具部品をたも網スタンド型竿受け装置（全体図）及びスタンドストッパー（Ｃ部品）図の様に左右２対のスタンドストッパー部品の固定ガイドで固定収納利用します。
【００１０】竿受けスタンドとして使用するときは、たも網スタンド型竿受け装置（全体図）及びスタンドストッパー（Ｃ部品）図の左右２対のスタンドストッパー部品の固定ガイドから竿受け部及びスタンド部一体スタンド金具部品を外してこの金具部品を引き起こしてアジャスター部品の傾斜勾配面に沿わせることで、竿受け部及びスタンド部一体スタンド金具部品はたも網取っ手柄部分と一体化した三脚となり安定した竿受けの役割を果たすこととなります。
【実用新案の効果】
【００１１】  この実用新案によって、魚の取り込み用たも網としての本来の機能を損なうことなく取り込んだ野鮎や友鮎の取り替えはもちろん、仕掛けの付け替え交換作業の時も川の流れの中で釣り人の手から離れ自立したたも網となり簡易生け簀として機能するので釣った魚の取り外しや取り替えなどで弱らせたり死なせずに済みます。
【００１２】同時にたも網が、竿受け部及びスタンド部一体スタンド金具部品をスタンドストッパーから外し引き起こしたことで自立した三脚型になっていることで竿受けのＵ字部分に竿を置くことが出来ることとなり竿に砂を咬ませたて竿の継ぎ手部を傷つけたりうっかり蹴飛ばすなどで破損させる危険が大幅に軽減され、釣り人自身の両手が自由になることで仕掛けや友鮎の交換などがスムーズにおこなえるようになる。
【００１３】また、たも網が自立した三脚になっていることでたも網の網部分が川の中で生け簀の機能を果たすので、生け簀の引き舟が手元になく離れた川の中の瀬などに留めていたとしても慌ててその場までたも網に魚が入ったまま持って走る必要もなくなり、安心して引き舟をたも網生け簀の場所まで移動することが出来る様になります。
【００１４】つまり、このたも網一体スタンド型竿受け装置は、釣り人が釣り場での釣りに集中できる時間（効率）を飛躍的に生み出すこととなるとともに、釣り人の釣り足場など川の中の移動時に起こる不測の危機を軽減し楽しく安全な釣りを提供することとなるとともに、１０万円以上もする繊細かつ軽量な鮎竿はその性質故に砂や一寸したキズにも弱く破損しやすいのですがそのリスクを大幅に軽減できることとなる本装置ですから釣り人の財布にも優しい福音となりますと同時に、カーボンロッド製やグラスロッド製の釣り竿は燃えない不燃ゴミとして扱われていますから不燃ゴミ排出軽減にもつながり自然環境にも優しく寄与できるものとなります。
【実用新案を実施するための最良の形態】
【００１５】  この実用新案の一実施形態を、たも網スタンド型竿受け装置全体図の全体平面図（たも網枠に取り付けた状態の装置（ＡＢＣ各部品）全体の平面図）及び全体立面図（たも網枠に取り付けた装置のＢ部品をＣ部品ストッパーから外して引き起こし三脚にした状態での全体立面図）、アジャスター（Ａ部品）図１（平面図、正面、後面、側面及び端部正面の４方向立面図）及びアジャスター（Ａ部品）図２（図１の平面図ａ−ａ’及び同ｂ−ｂ’部分２つの断面図）、竿受け部分一体型スタンド金具（Ｂ部品）図（平面図、正面及び側面の２方向立面図）、スタンドストッパー（Ｃ部品）図（平面図、正面、後面及び側面の３方向立面図、平面図ｃ−ｃ’部分の断面図）にて示します。
【００１６】たも網一体型スタンド竿受け装置を取り付けた外観形状や使用イメージは、たも網スタンド型竿受け装置全体図の全体平面図（収納時）と全体立面図（使用時）の通り。
アジャスター部品は、Ａ部品図１の平面図とその断面図ａ−ａ’部分のパーツ１個と断面図ｂ−ｂ’部分２個のパーツから構成され、断面図ａ−ａ’の開口部でたも網枠を挟み込み、断面図ｂ−ｂ’部分の１．５Ｒ開口部に竿受け部分一体型スタンド金具を挟み込んで断面図ａ−ａ’部分パーツと断面図ｂ−ｂ’部分パーツを金属ネジで接続する。
竿受け部分一体型スタンド金具部品は、Ｂ部品図の平面図、正面立面図、側面立面図の通りφ３の鋼の１本線で構成され、Ｒ１４のＵ字部分が竿受け部分となると同時に４０ミリのＵ字と両サイドの折り曲げで竿受け部は変形のＭ字となっているがそれがアジャスター断面図ｂ−ｂ’の右側勾配部分と接し互いに支持安定することで左右鋼線そのものの接地面が取っ手柄部分の接地面と相まって安定した三脚となる。
スタンドストッパー部品は、Ｃ部品図の平面図、正面立面図、側面立面図及び後面立面図、平面図の断面図ｃ−ｃ’の通りで、ｃ−ｃ’断面図の左側の５ミリ幅内にたも網枠が固定されている。通常のたも網として使用するときは竿受け部分一体型スタンド金具部品の左右鋼線がスタンドストッパー部品の右側Ｒ１．５部分に収納固定され、竿受け部分一体型スタンド金具として三脚使用されるときは右側Ｒ１．５部分から鋼線を外し引き起こして使用する。
【００１７】たも網枠に取り付けるアジャスター部品及び竿受け部分一体型スタンド金具の材質はアルミ合金やチタンなど既存のたも網枠などと同質の金属材料を用いる。二分割されているアジャスター部品を止めるためのネジも同等の金属製とする。スタンドストッパー部品の材質は硬度や耐久性に優れたクロロプレンゴム（ＣＲゴム）や耐候性に優れたニトリムゴム（ＮＢＲゴム）などの合成ゴム材質とする。
【実施形態の効果】
【００１８】  この実施形態によれば、釣った魚を受けるたも網としての役割目的に留まらず、たも網自体が三脚となり自立安定した簡易生け簀の役割を担うとともに、釣行作業時に竿を安全に置き掛けることが出来る三脚型竿受けの役割も果たす。この実用新案品によって、▲１▼釣り行動の効率化が図られる。▲２▼釣り人の怪我防止など安全性の向上に繋がる。▲３▼高価な釣り竿を不測の危険から回避できることによる財布に優しい節約効果も生まれます。▲４▼グラスロッド製やカーボンロッド製の釣り竿は不燃ゴミとして扱われていますが、傷や破損を起こさず長持ちできれば環境に優しい結果を生みます。大まかに以上四点の効果を期待できる。
【図面の簡単な説明】
【００１９】
【図１】この実用新案の実施形態を示すたも網枠に取り付けた「たも網スタンド型竿受け装置全体図」の全体平面図（収納時）と全体立面図（使用時）である。
【図２】この装置を構成する「アジャスター（Ａ部品）図１」の平面図と正面、後面、側面及び端部正面の４方向立面図の展開図である。
【図３】この装置を構成する「アジャスター（Ａ部品）図２」で、「アジャスター（Ａ部品）図１」の平面図１の平面図のａ−ａ’断面図及びｂ−ｂ’断面図である。
【図４】この装置を構成する「竿受け部分一体型スタンド金具（Ｂ部品）図」の平面図と正面、側面の２方向立面図である。
【図５】この装置を構成する「スタンドストッパー（Ｃ部品）図」の平面図と正面、側面及び後面の３方向立面図の展開図と平面図のｃ−ｃ’断面図である。
【手続補正３】
【補正対象書類名】図面
【補正対象項目名】全図
【補正方法】変更
【補正の内容】
【図１】
0003201370.tif 000010
【図２】
0003201370.tif 000011
【図３】
0003201370.tif 000012
【図４】
0003201370.tif 000013
【図５】
0003201370.tif 000014
【手続補正書】
【提出日】平成27年9月10日(2015.9.10)
【手続補正１】
【補正対象書類名】実用新案登録請求の範囲
【補正対象項目名】全文
【補正方法】変更
【補正の内容】
【実用新案登録請求の範囲】
【請求項１】
たも網に装着されるたも網一体型スタンド竿受け装置であって、
たも網の円形枠に沿った円弧形状を有する竿受け部分一体型スタンド金具と、前記たも網における取っ手柄と反対側において、前記竿受け部分一体型スタンド金具をたも網に取り付ける取り付けアジャスターと、
前記たも網に取り付けられるスタンドストッパーであって、前記竿受け部分一体型スタンド金具の半円形状の両端部を、たも網に取り付けるための収納部を有するスタンドストッパーからなり、
前記竿受け部分一体型スタンド金具は、前記取り付けアジャスターによって取り付けられる部分に、竿受け部分が形成されており、
前記取り付けアジャスターは、竿受け部分一体型スタンド金具を取り付けるための中空状の竿受け部分一体型スタンド金具取り付け部分を有しており、
たも網として使用する場合には、竿受け部分一体型スタンド金具の両端部をスタンドストッパーに収納することで、竿受け部分一体型スタンド金具をたも網に取り付け、
竿受けスタンドとして使用する場合には、前記竿受け部分一体型スタンド金具の前記両端部をスタンドストッパーから外すことで、たも網の取っ手部分と前記竿受け部分一体型スタンド金具の前記両端部を三脚として機能させることで、たも網を自立可能としたことを特徴とするたも網一体型スタンド竿受け装置。